【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  着用者頭部の形状に適合する複数の画分化された周辺パネルと、前記画分化された周辺パネル内に埋込まれ、ヘルメットの後ろ側の画分化されたパネルを介して１対の最前の画分化された周辺パネルを接続するアーマチュアとを具備しているヘルメット。
【請求項２】  着用者頭部の形状に適合する複数の画分化された周辺パネルと、前記画分化された周辺パネル内に埋込まれ、前記画分化された周辺パネルの対の少なくとも１つを直接に接続するアーマチュアと、前記画分化された周辺パネルの少なくとも１つに連結される少なくとも１つの頂部パネルとを具備しているヘルメット。
【請求項３】  前記複数の画分化されたパネルが、５つの周辺パネルを備えている請求項１に記載のヘルメット。
【請求項４】  着用者頭部の形状に適合する複数の画分化された周辺パネルであって、着用者頭部の周りの側方に配置される画分化された周辺パネルと、前記画分化された周辺パネル内に埋込まれ、前記画分化された周辺パネルの対の少なくとも１つを直接に接続するアーマチュアとを具備し、前記複数の画分化された周辺パネルは、着用者の頭部の各側に、少なくとも２つの周辺パネル及び１つの後部パネルを備え、かつ、前記複数の画分化された周辺パネルの少なくとも１つに連結される１つの頂部パネルをさらに備えている請求項１に記載のヘルメット。
【請求項５】  前記頂部パネルが、前記側部パネルの間の間隙を跨っている請求項４に記載のヘルメット。
【請求項６】  前記複数の画分化された周辺パネルは、対のそれぞれが着用者の頭部の側に沿って配置される１対のパネルを備えている請求項１に記載のヘルメット。
【請求項７】  着用者頭部の形状に適合する複数の画分化された周辺パネルと、前記画分化された周辺パネル内に埋込まれ、前記画分化された周辺パネルの対の少なくとも１つを直接に接続するアーマチュアと、前記画分化された周辺パネルの少なくとも１つに連結される少なくとも１つの頂部パネルとを具備し、ヘルメットの少なくとも１つの頂部パネルが、前記アーマチュアにて形成されるループにより、前記周辺パネルに嵌められているヘルメット。
【請求項８】  着用者頭部の形状に適合する複数の画分化された周辺パネルと、前記画分化された周辺パネル内に埋込まれ、前記画分化された周辺パネルの対の少なくとも１つを直接に接続するアーマチュアと、前記画分化された周辺パネルの少なくとも１つに連結される少なくとも１つの頂部パネルとを具備し、１つのアーマチュアが、前記周辺パネル内にインサート成形され、第２のアーマチュアが、前記少なくとも１つの頂部パネル内にインサート成形され、前記２つのアーマチュアが、互いに接続されて、前記少なくとも１つの頂部パネルを前記周辺パネルに固定しているヘルメット。
【請求項９】  前記アーマチュアが、多孔性可撓性材料を含んでいる請求項１に記載のヘルメット。
【請求項１０】  着用者頭部の形状に適合する複数の画分化された周辺パネルと、前記画分化された周辺パネル内に埋込まれ、前記画分化された周辺パネルの対の少なくとも１つを直接に接続するアーマチュアと、ヘルメットの後ろ側から延びる突出部と、該突出部内の区画とを具備しているヘルメット。
【請求項１１】  前記ヘルメットの外面を被覆する装飾的シェルをさらに具備している請求項１に記載のヘルメット。
【請求項１２】  前記ヘルメットを畳み込むことにより形成された物体担持袋状空洞をさらに具備している請求項１に記載のヘルメット。
【請求項１３】  着用者の腰の周りにヘルメットを取付けるための手段をさらに具備している請求項１２に記載のヘルメット。
【請求項１４】  着用者の肩部から懸架される前記ヘルメットを担持するための手段をさらに具備している請求項１２に記載のヘルメット。
【請求項１５】  前記袋状空洞を維持するため、前記ヘルメットの他方の側に、前記ヘルメットの片側を留めるための手段をさらに具備している請求項１２に記載のヘルメット。
【請求項１６】  着用者頭部の形状に適合する複数の画分化された周辺パネルと、前記画分化された周辺パネル内に埋込まれ、前記画分化された周辺パネルの対の少なくとも１つを直接に接続するアーマチュアと、係止システムとを備え、
前記係止システムが、
左側及び右側を有する固定長あごひもと、
襟首ひもと、
少なくとも１つのプラスチック緊張ガイドとを具備しているヘルメット。
【請求項１７】  前記あごひもの左側及び右側が、前記ヘルメットの頂部パネルを貫通して経路案内され、
前記襟首ひもが、前記ヘルメットの後ろ側の外側面に取付けられ、
前記あごひも及び前記襟首ひものうちの１つが、前記少なくとも１つのプラスチック緊張ガイドを貫通している請求項１６に記載のヘルメット。
【請求項１８】  前記アーマチュアが、一部品のアーマチュアである請求項１に記載のヘルメット。
【請求項１９】  着用者頭部の形状に適合する複数の画分化された周辺パネルと、前記画分化された周辺パネル内に埋込まれ、前記画分化された周辺パネルの対の少なくとも１つを直接に接続するアーマチュアと、ひもガイドとを備え、
前記ひもガイドが、
１部品つまみと、
前記ヘルメット内に成形されている内側受容部材と、
前記ヘルメット内に成形されている外側受容部材とを具備し、
前記つまみは、前記内側受容部材及び前記外側受容部材のうちの１つを貫通して挿入され、該挿入は、前記つまみが、前記内側受容部材及び前記外側受容部材のうちの他方を貫通して露出され、次いで、前記つまみが、ロックされた位置にねじれて到達するまで行われているヘルメット。
【請求項２０】  前記つまみのさらなるねじれを阻止するため、前記内側受容部材内の突出部をさらに具備している請求項１９に記載のヘルメット。
【請求項２１】  前記アーマチュアは、一部品のアーマチュアであって、前記各周辺パネル内に埋込まれ、前記アーマチュアは、前記各周辺パネルを前記他の近隣にある周辺パネルを接続している請求項１９に記載のヘルメット。
【請求項２２】  着用者頭部の形状に適合する複数の画分化された周辺パネルと、前記画分化された周辺パネルのそれぞれに連続的に連結される単一のアーマチュアとを具備し、前記画分化された周辺パネルは互いに接続されているヘルメット。
【請求項２３】  着用者頭部の形状に適合する複数の画分化された周辺パネルと、前記画分化された周辺パネルのそれぞれに連続的に連結されるアーマチュアと、前記周辺パネルの少なくとも１つに連結される少なくとも１つの頂部パネルとを具備し、前記画分化された周辺パネルは互いに接続されているヘルメット。
【請求項２４】  前記複数の画分化された周辺パネルは、１対の２つの画分化された周辺パネルから成り、前記対の周辺パネルのそれぞれは着用者頭部の対向する側に配置されている請求項２２に記載のヘルメット。
【請求項２５】  前記複数の画分化された周辺パネルは、前記着用者頭部の各側に配置される少なくとも２つの周辺パネルと、前記着用者頭部の後ろ側に配置される１つの後部パネルとを具備している請求項２２に記載のヘルメット。
【請求項２６】  着用者頭部の形状に適合する複数の画分化された周辺パネルであって、前記着用者頭部の各側に配置される少なくとも２つのパネルと、前記着用者頭部の後ろ側に配置される１つの後部パネルとを備える画分化された周辺パネルと、互いに接続される前記画分化されたパネルのそれぞれに連続的に連結されるアーマチュアと、前記画分化された周辺パネルの少なくとも１つに接続される少なくとも１つの頂部パネルとを具備しているヘルメット。
【請求項２７】  前記複数の画分化された周辺パネルは、５つの周辺パネルを備えている請求項２２に記載のヘルメット。
【請求項２８】  着用者頭部の周りの側方に配置され、着用者頭部の形状に適合する複数の画分化された周辺パネルと、前記画分化された周辺パネル内に埋込まれ、少なくとも３つのパネルを直接に接続する単一のアーマチュアとを具備しているヘルメット。
【請求項２９】  前記画分化された周辺パネルの少なくとも１つに連結される少なくとも１つの頂部パネルをさらに具備している請求項２８に記載のヘルメット。
【請求項３０】  着用者頭部の形状に適合する複数の画分化された周辺パネルであって、前記着用者頭部の周りの側方に配置される画分化された周辺パネルと、前記画分化された周辺パネル内に埋込まれ、前記画分化された周辺パネルの対の少なくとも１つを直接に接続するアーマチュアとを具備し、前記アーマチュアは前記画分化された周辺パネルの少なくとも１つを貫通しているヘルメット。